(57)【要約】      （修正有）【課題】アイマスク、手拭、タオル、耳栓、耳カバー等の使用中の圧迫感、不快感を解決し、又他人に寝顔を見られる不安感を解消し、目覚ましタイマー、貴重品を収納できるポケットを取付けてあるため、安心して仮眠、睡眠ができる構造とする携帯用仮眠カバーを提供する。【解決手段】携帯ケース１の付属品取り付け装置に使用形態に合わせ付属品を取り付け、仮眠カバー２を開き顔部分を覆うことにより遮光、遮音する。携帯用ケースの中には、枕３があり仮眠、睡眠の助けをする。起きる時間のタイマーはポケット８収納できる構造としている。又携帯用ケースには排煙ダクト取り付け口９を設けてあり、その排煙ダクト口に小型ファン、煙除去フィルターを取り付け清浄化して排出する。【選択図】図３
0003105490.tif 000002
【実用新案登録請求の範囲】
【請求項１】
周囲が明かるく、騒音、雑音等がある場所で仮眠、睡眠をとりたい時に、携帯用ケースに収納された仮眠カバーを開き、頚部以上を覆い周囲の明かり、騒音、雑音を軽減し、また、他人に寝顔を見られずに仮眠、睡眠を助ける携帯用仮眠カバー。
目覚し用タイマー及び、仮眠カバーでは遮音が充分でない時の対策用としての耳栓や仮眠中の盗難防止のため貴重品等を収納できるポケットを設けてある携帯用仮眠カバー。
又喫煙者が他人に迷惑にならないよう排煙ダクトの取り付け口を設け簡易喫煙スペースに流用できる携帯用仮眠カバー。
使用後は仮眠カバーを閉じて携帯用ケースに収納し、ケースの取っ手により持ち運びできることを特徴とする携帯用仮眠カバー。
【請求項２】
携帯用ケースの一面に、自動車の座席、椅子の背もたれに取り付けられる装置と、敷蒲団、座布団の下に入れて安定する装置を取付けられる構造を持つ携帯用仮眠カバー。
【請求項３】
空気を挿入することにより請求項１の目的を果たす形状となる合成樹脂フィルムで成形した構造で、使用後収納する携帯用ケースは請求項１、請求項２の構造を有する携帯用仮眠カバー。
合成樹脂フィルムで成形した携帯用仮眠カバーは、携帯用ケースより取り外すことができ、単独で仮眠カバーとして使用でき、空気を抜き小さくたたみ持ち運びできる携帯用仮眠カバー。
【考案の詳細な説明】
【技術分野】
【０００１】  本考案は、自動車の運転者の仮眠、休息時、病院の大部屋、災害時の避難場所等の不特定多数の人々のいる場所での仮眠、睡眠時、あるいは、明るい場所、騒音がある場所において個人的に仮眠、睡眠したい時、又睡眠中に他人に寝顔を見られないことに関するものである。又目覚まし用タイマー、耳栓、貴重品等を収納できるポケットを設けてある。
なお、家庭で喫煙者が家族に迷惑を掛けないように排煙ダクト取り付け口を設け小型換気ファン、フィルターを通し煙を清浄化し排出できる。又排煙ダクトを取り付けることにより室外にも排煙できる構造である。
【背景技術】
【０００２】  従来は明るい場所については、アイマスク、手拭、タオル等を使用。騒音に対しては耳栓、耳カバー等を使用して仮眠、睡眠していたが圧迫感があり十分の仮眠、睡眠ができなかった。又家族の非喫煙者が喫煙者を敬遠しベランダ等の室外で喫煙させていた。
【考案の開示】
【考案が解決しようとする課題】
【０００３】  本考案はかかる現状に対してなされたもので、アイマスク、手拭、タオル、耳栓、耳カバー等の使用中の圧迫感、不快感を解決するものである。又他人に寝顔を見られる不安感を解消し、目覚ましタイマー、貴重品を収納できるポケットを取付けてあるため、安心して仮眠、睡眠ができる構造としている。
なお、非喫煙者を考慮し排煙ダクト取り付け口を設け換気ファン、フィルターを通して煙を清浄化して排気できる。又ダクトを取り付けることにより室外にも排煙できる構造としている。
【課題を解決するための手段】
【０００４】  本考案は、前記課題の解決を図ったもので、請求項１記載の考案は、明るい場所、騒音のある場所で携帯用ケース１をあけ仮眠カバー２を開き顔部分を覆うことにより仮眠、睡眠ができる構造で、仮眠カバー２の内部に仮眠時間を設定できる、目覚ましタイマー、貴重品、耳栓等を収納できるポケットを取付けてある構造。排煙ダクト取り付け口を設け喫煙者の排煙を小型ファン、フィルターで清浄化して排出、あるいはダクトを付ければ室外に排煙できる構造とする。【０００５】  請求項２は携帯ケース１の一面に椅子の背もたれに取付けられる付属品１０及び敷布団、座布団の下に入れる付属品１０ａを取りつけられる付属品取付け装置６を取り付けてある構造である。【０００６】  請求項３は内蔵する仮眠カバー２をソフト感ある、合成樹脂フィルム製仮眠カバーとした構造である。
【考案の効果】
【０００７】  自動車の運転者が休息、仮眠をする際に携帯用仮眠カバーを座席に取付け、外光、騒音を軽減し仮眠することにより、疲労の回復を助ける。又目覚ましタイマーにより寝過ごすこともなく安心して仮眠できる。
地震・台風・水害等の災害時、集団避難場所、病院の大部屋等での常時点灯されている照明、人々の話し声、雑音等で仮眠・睡眠ができず、体調を悪くする人もある。
本考案品の携帯用仮眠カバーを使用することにより、周囲の明るさ、騒音を軽減し、仮眠・睡眠を助けることができる。又仮眠・睡眠中の寝顔を他人に見られることを防止することができる。
携帯用仮眠カバーに設けられた排煙ダクト取り付け口に小型ファン、フィルターを取り付けて煙を清浄化して排気することにより、喫煙者の簡易喫煙スペースとしても利用できる。
【考案を実施するための最良の形態】
【実施例】
【０００８】  自動車の座席、椅子の場合には付属品１０を取付け、仮眠カバーを開いて頭部を入れる、必要に応じ目覚ましタイマーの時間を設定する。（斜図６参照）
敷蒲団、座布団等に使用する場合は付属品１０ａを取付け安定させて、仮眠カバーを開き、頭部を仮眠カバーの中に入れる。必要に応じ目覚ましタイマーの時間を設定する。（斜図７参照）
【産業上の利用可能性】
【０００９】  運転者等の昼間の休息に対して仮眠、睡眠を十分に取れることにより、運転操作の安全性の向上をはかることができる。又災害の避難場所、病院の大部屋等で個人的に使用することにより、明るさ、騒音の軽減、簡易個室感によるプライバシー確保等によりストレスの解消、強いては病状の改善がみこまれる。
【図面の簡単な説明】
【００１０】
【図１】仮眠カバーを開いた斜図
【図２】仮眠カバーを開いた平面図
【図３】仮眠カバーを閉じた平面図
【図４】仮眠カバー開いた側面断面図
【図５】仮眠カバーを収納した携帯ケース斜図
【図６】使用例１
【図７】使用例２
【符号の説明】
【００１１】１      携帯ケース
２      仮眠カバー
３      枕
４      回転骨
５      回転骨支軸
６      付属品取付け装置
７      取っ手
８      ポケット
９      排煙ダクト口
１０    付属品１
１０ａ  付属品２
【図１】
0003105490.tif 000003
【図２】
0003105490.tif 000004
【図３】
0003105490.tif 000005
【図４】
0003105490.tif 000006
【図５】
0003105490.tif 000007
【図６】
0003105490.tif 000008
【図７】
0003105490.tif 000009
【手続補正書】
【提出日】平成16年6月7日(2004.6.7)
【手続補正１】
【補正対象書類名】実用新案登録請求の範囲
【補正対象項目名】全文
【補正方法】変更
【補正の内容】
【実用新案登録請求の範囲】
【請求項１】
複数の回転骨に取付けられ蛇腹状に加工された仮眠カバーを開き、頚部以上を覆い仮眠、睡眠できる携帯用仮眠カバー。
【請求項２】
目覚まし用タイマー、貴重品等を収納てきるポケットを設けた請求項１に記載された携帯用仮眠カバー。
【請求項３】
コの字状に成形した金属又は合成樹脂の両端が外側に曲げられており、さらにコの字の上下には穴があけてある。使用形態に合せて付属品をこの部品にワンタッチで取付け取外し可能としている。前記部品を取付けた請求項１に記載された携帯用仮眠カバー。
【請求項４】
喫煙者が喫煙するとき、携帯カバー開いて顔を覆い、その煙を清浄化する部品を取付けられる排煙ダクト口を設けた請求項１に記載された携帯用仮眠カバー。
【手続補正２】
【補正対象書類名】明細書
【補正対象項目名】全文
【補正方法】変更
【補正の内容】
【考案の詳細な説明】
【技術分野】
【０００１】  本考案は、自動車の運転者の仮眠、休息時、病院の大部屋、災害時の避難場所等の不特定多数の人々のいる場所での仮眠、睡眠時、あるいは、明るい場所、騒音がある場所において個人的に仮眠、睡眠したい時、又睡眠中に他人に寝顔を見られないことに関するものである。又目覚まし用タイマー、耳栓、貴重品等を収納できるポケットを設けてある。
なお、家庭で喫煙者が家族に迷惑を掛けないように排煙ダクト取り付け口を設け小型換気ファン、フィルターを通し煙を清浄化し排出できる。又排煙ダクトを取り付けることにより室外にも排煙でき、簡易喫煙スペースにも流用できる構造である。
【背景技術】
【０００２】  従来は明るい場所については、アイマスク、手拭、タオル等を使用。騒音に対しては耳栓、耳カバー等を使用して仮眠、睡眠していたが圧迫感があり十分の仮眠、睡眠ができなかった。又家族の非喫煙者が喫煙者を敬遠しベランダ等の室外で喫煙させていた。
【考案の開示】
【考案が解決しようとする課題】
【０００３】  本考案はかかる現状に対してなされたもので、アイマスク、手拭、タオル、耳栓、耳カバー等の使用中の圧迫感、不快感を解決するものである。又他人に寝顔を見られる不安感を解消し、目覚ましタイマー、貴重品を収納できるポケットを取付けてあるため、安心して仮眠、睡眠ができる構造としている。
なお、非喫煙者を考慮し排煙ダクト取り付け口を設け換気ファン、フィルターを通して煙を清浄化して排気できる。又ダクトを取り付けることにより室外にも排煙できる構造としている。
【課題を解決するための手段】
【０００４】  本考案は、前記課題の解決を図ったもので、請求項１記載の考案は、明るい場所騒音のある場所で仮眠、睡眠する場合に、携帯用ケース１の蓋を開き、複数本の回転骨４に固定された仮眠カバー２が、回転骨４の回転骨支軸５を軸として蛇腹状に開く構造。【０００５】  請求項２は携帯ケース１の内部にポケット８を取付けたことにより、ポケット８に仮眠時間を設定できる目覚ましタイマーを収納したり、貴重品、耳栓等を収納できる構造。【０００６】請求項３は椅子等で仮眠、睡眠する場合、椅子の背もたれに取付ける付属品１０と、蒲団等の上叉は下に入れて安定して使用できる付属品１０ａをワンタッチで簡単に取付けられる他、部品にあけた穴にバンドを通し仮眠カバーを固定できる付属品取付け部品６を携帯ケース１の外面に取付けた構造。【０００７】請求項４は携帯ケース１に排煙ダクト口９を設けてあるため、排煙ダクト口にフィルター付き小型ファン等を装着し、仮眠カバー２を開いてその内部で喫煙すれば、タバコの煙は清浄化されて排出できる構造。
【考案の効果】
【０００８】  自動車の運転者が休息、仮眠をする際に携帯用仮眠カバーを座席に取付け、外光、騒音を軽減し仮眠することにより、疲労の回復を助ける。又目覚ましタイマーにより寝過ごすこともなく安心して仮眠できる。
地震・台風・水害等の災害時、集団避難場所、病院の大部屋等での常時点灯されている照明、人々の話し声、雑音等で仮眠・睡眠ができず、体調を悪くする人もある。本考案品の携帯用仮眠カバーを使用することにより、周囲の明るさ、騒音を軽減し、仮眠、睡眠を助けることができる。又仮眠、睡眠中の寝顔を他人に見られることを防止することができる。
携帯用仮眠カバーに設けられた排煙ダクト取付け口に小型ファン、フィルターを取付けて煙を清浄化して排気することにより、煙害を軽減したり、又喫煙者の簡易喫煙スペースとしても利用できる。
【考案を実施するための最良の形態】
【実施例】
【０００９】  自動車の座席、椅子等の場合には付属品１０を取付け、仮眠カバーを開いて頭部を入れる、必要に応じ目覚ましタイマーの時間を設定しポケット８の中に入れる。（斜図６参照）
敷蒲団、座蒲団等に使用する場合は付属品１０ａを取付け安定させて、仮眠カバーを開き、頭部を仮眠カバーの中に入れる。必要に応じ目覚ましタイマーの時間を設定しポケット８に入れる。（斜図７参照）
【産業上の利用可能性】
【００１０】  運転者等の昼間及び夜間の明るい場所での休息に対して仮眠、睡眠を十分に取ることにより、運転操作の安全性の向上をはかることができる。又災害の避難場所、病院の大部屋等で個人的に使用することにより、明るさ、騒音の軽減、簡易個室的感覚によるプライバシーの確保等によりストレスの解消、強いては病状の改善がみこまれる。
【図面の簡単な説明】
【００１１】
【図１】  仮眠カバーを開いた斜図
【図２】  仮眠カバーを開いた平面図
【図３】  仮眠カバーを閉じた平面図
【図４】  仮眠カバー開いた側面断面図
【図５】  仮眠カバーを収納した携帯ケース斜図
【図６】  使用例１
【図７】  使用例２
【符号の説明】
【００１２】  １    携帯ケース
２    仮眠カバー
３    枕
４    回転骨
５    回転骨支軸
６    付属品取付け部品
７    取っ手
８    ポケット
９    排煙ダクト口
１０    付属品１
１０ａ  付属品２